(57)【要約】【課題】  従来の水改質装置は、可搬性を有しているが、全体的に寸法及び重量が大きいため、壁面等の所望の位置に簡単に取り付けることが困難であった。【解決手段】  源水が給入される給水部と、前記給水部からの源水を内部のトルマリンが発生させる電荷による作用で改質する水改質部と、前記水改質部からの改質された源水を出水する出水部とを有する本体部と、前記本体部が装着されると共に、被取付部に対し、取り付け、及び取り外し可能な取付部とを備える。【選択図】        図１
2006334468.tif 000002
【特許請求の範囲】
【請求項１】
源水が給入される給水部と、前記給水部からの源水を内部のトルマリンが発生させる電荷による作用で改質する水改質部と、前記水改質部からの改質された源水を出水する出水部とを有する本体部と、
前記本体部が装着されると共に、被取付部に対し、取り付け、および取り外し可能な取付部とを備えることを特徴とする簡易型水改質装置。
【発明の詳細な説明】
【技術分野】
【０００１】
本発明は、トルマリンが発生する電荷による作用により源水を改質する簡易型水改質装置に関し、特に、所望の位置に取り付け、および取り外し可能な簡易型水改質装置に関する。
【背景技術】
【０００２】
トルマリンが発生する電荷による作用で源水を改質する水改質装置が知られている。例えば、下記特許文献１に記載されているように、源水が給入されると、源水をトルマリンの作用で改質し、該改質された源水を出水する水改質部を移動可能な容器に内装した可搬性のある水改質装置が知られている。
【特許文献１】特開２０００−１９２０８６号公報
【発明の開示】
【発明が解決しようとする課題】
【０００３】
しかしながら、上記した特許文献１に記載された水改質装置では、可搬性を有しているが、全体的に寸法及び重量が大きいため、壁面等の所望の位置に簡単に取り付けることが困難であった。
【課題を解決するための手段】
【０００４】
本発明は、以上の点を解決するために、次の構成を採用する。
〈構成１〉
源水が給入される給水部と、前記給水部からの源水を内部のトルマリンが発生させる電荷による作用で改質する水改質部と、前記水改質部からの改質された源水を出水する出水部とを有する本体部と、前記本体部が装着されると共に、被取付部に対して、取り付け、および取り外し可能な取付部とを備えることを特徴とする。
【発明の効果】
【０００５】
本発明の簡易型水改質装置では、源水が給入される給水部と、給水部からの源水をトルマリンの電荷作用で改質する水改質部と、水改質部からの改質された源水を出水する出水部とを有する本体部と、該本体部を装着すると共に、被取付部に対して、取り付けおよび取り外し可能な取付部を設けたので、簡易型水改質装置を所望の位置に簡単に取り付け、および取り外しができる。従って、各種の使用態様に適合する利便性の優れた簡易型水改質装置を提供することができる。
【発明を実施するための最良の形態】
【０００６】
以下、本発明の一実施形態を図を用いて詳細に説明する。
【実施例】
【０００７】
〈実施例の構成〉
図１は、本発明に係る簡易型水改質装置を示す断面図である。
【０００８】
この簡易型水改質装置は、円筒状の本体部１０を有している。
【０００９】
この本体部１０は、給水部１、水改質部２および出水部３から構成されている。
【００１０】
給水部１は、配水栓に取り付け可能に形成されており、取り付けられた配水栓から源水が給入されると、給入された源水を水改質部２に配水する。
【００１１】
水改質部２には、複数の通水口２ａを有するフィルタ２ｂ、２ｃが設けられており、両フィルタ２ｂ、２ｃ間には、トルマリン粒状塊２ｄが詰め込まれている。
【００１２】
水改質部２は、給水部１からの源水がフィルタ２ｂを介して通水されると、源水をトルマリン粒状塊２ｄが発生させる電荷作用により改質し、フィルタ２ｃを介して出水部３に配水する。
【００１３】
出水部３は、シャワー等のホースコネクタを取り付け可能な構成を有し、水改質部２から改質された源水が配水されると、改質された源水を出水する。
【００１４】
また、簡易型水改質装置は取付部１１を有している。
【００１５】
図２は、本体部１０を装着した取付部１１を示す側面図である。
【００１６】
図２に示すように、取付部１１は、本体部１０を着脱可能に装着すべく、Ｌ字型に形成されている。この取付部１１は、上下方向に沿って伸長する伸長部１１ａを有しており、この伸長部１１ａにおける背面側の下方には、取付部１１が傾倒するのを防止するための吸着部材１１ｂが設けられ、上方には、さらに、傾倒防止を強化するための吸着部材１１ｃが取付チェーン１２を介して取り付けられている。さらに、取付部１１の底面には、安定的に設置するための摩擦接触部材１１ｄが設けられている。本実施例では、図３に示すように、上記した取付部１１の長尺の伸長部１１ａと短尺の伸長部１１ｅとの間に本体部１０が装着されている。
【００１７】
ここで、上記した構成により、簡易型水改質装置が浴室にて適用される態様について説明する。
【００１８】
まず、本体部１０の給水部１をホース１３を介して浴室に設けられている配水栓１４に取り付ける（図４参照）。
【００１９】
次に、水改質部２により改質された源水の出水先を浴槽内およびシャワーのいずれかに切替可能なレバー１５ｃを有する切替部材１５を本体部１０の出水部３に取り付ける（図４参照）。
【００２０】
この切替部材１５は、浴槽出水部１５ａおよびシャワー接続部１５ｂを有しており、シャワー接続部１５ｂには、ホース１６を介して、シャワー部材１７を取り付ける（図４参照）。これにより、改質された源水の出水先を切替部材１５のレバー１５ｃの切り替えにより変更できる。
【００２１】
そして、上記したように、配水栓等に取り付けられた本体部１０を取付部１１に装着すると共に、該取付部１１を浴室内の所望の位置に設置する（図５参照）。この際に、取付部１１の伸長部１１ａに取り付けられている吸着部材１１ｂおよび吸着部材１１ｃを浴室の壁面に吸着させる（図６参照）。従って、取付部１１が設置状況により傾倒するのを防止でき、簡易型水改質装置の安定した取り付けが可能となる。
【００２２】
〈実施例の動作〉
以下に、上述したように浴室に設置された簡易型水改質装置の動作について説明する。
【００２３】
まず、浴室の配水栓１４から給水部１に源水が給入されると、フィルタ２ｂを介して給入された源水を水改質部２に配水する。
【００２４】
水改質部２は、フィルタ２ｂを介して通水された源水をトルマリン粒状塊２ｄが発生させる電荷作用により改質して活性化し、フィルタ２ｃを介して改質された源水を出水部３に配水する。
【００２５】
出水部３は、水改質部２から改質された源水が配水されると、切替部材１５のレバーの切替状態にしたがって、改質された源水を浴槽内およびシャワーのいずれかに出水する。
【００２６】
〈実施例の効果〉
本実施例の簡易型水改質装置では、源水が給入される給水部１と、給水部１からの源水をトルマリンの電荷作用で改質する水改質部２と、水改質部２からの改質された源水を出水する出水部３とを有する本体部１０と、該本体部１０を装着すると共に、被取付部に対して、取り付け、および取り外し可能で、かつ被取付部に吸着する吸着部材１１ｂ、１１ｃを有する取付部１１を設けたので、簡易型水改質装置を所望の位置に安定的かつ簡単に取り付け、および取り外しができる。従って、各種の使用態様に適合する利便性の優れた簡易型水改質装置を提供することができる。
【産業上の利用可能性】
【００２７】
上記実施例では、簡易型水改質装置が浴室にて適用される態様について説明を行ったがこれに限られることはなく、例えば、簡易型水改質装置を洗濯機への給水や自動車の洗浄にも適用することができる。洗濯機への給水に適用する場合、取付部１１の伸長部１１ａにボルト穴１１ｆを設け、図７に示すように、壁面に対して、ボルト１８により取付部１１を固定し、該固定された取付部１１に、給水部１および出水部３がそれぞれ配水栓、洗濯機の給水部に取り付けられた本体部１０を装着させればよい。
【００２８】
ところで、本体部１０は、上記した実施例の構成に限られることはなく、例えば、図８に示すように、水改質部２内の一端に設けたバネ等の弾性部材１０ａと、複数の通水口１０ｃを有し、かつトルマリン粒状塊２ｄが内詰されて水改質部２内に移動可能に配されるユニット部１０ｂとから構成し、このユニット部１０ｂを弾性部材１０ａにより水改質部２の出水部３側の内壁に弾性的に当接させる構成としてもよい。上記した構成によれば、出水部３から弾性部材１０ａの弾性力に抗する大きい水圧で源水を逆方向から給入することで、源水の水圧の変化を利用して、ユニット部１０ｂを水改質部２内で図８に示す矢印方向に振動的に移動させることができる。従って、ユニット部１０ｂ内に溜まった混入物やトルマリンの砕けて生じた粒状物等を源水と共に通水口１０ｃを介して外部に排出させることができ、ユニット部１０ｂ内を常に清潔な状態で保つことができる。
【００２９】
上記実施例では、簡易型水改質装置が浴室にて適用される態様について説明を行ったがこれに限られることはなく、例えば、図９に示すように、本体部１０の給水部１と出水部３を取り付け及び取り外し可能な接続部２０、２１を有する収容ケース１９に取付部１１の底面を固定し、該固定された取付部１１に対し、給水部１および出水部３が収容ケース１９の接続部２０、２１にそれぞれ取り付けられた本体部１０を装着させる構成としてもよい。上記した構成によれば、長期使用により消耗した本体部１０を容易に交換することができる。また、収容ケース１９に取手部２２（図９および１０参照）を設けることで、収容ケース１９を容易に持ち運びすることができる。
【図面の簡単な説明】
【００３０】
【図１】本発明に係る簡易型水改質装置を示す断面図
【図２】本体部１０が装着された取付部１１を示す側面図
【図３】本体部１０が装着された取付部１１を示す正面図
【図４】本体部１０が配水栓等に取り付けられた態様を示す例示図
【図５】浴室に簡易型水改質装置が適用された態様を示す図
【図６】吸着部材１１ｂ、１１ｃによる取り付け状態を示す図
【図７】ボルト１８による取り付けの説明図
【図８】簡易型水改質装置を示す断面図
【図９】収容ケース１９に簡易型水改質装置が適用された態様を示す図
【図１０】収容ケース１９に簡易型水改質装置が適用された態様を示す側面図
【符号の説明】
【００３１】
１  給水部
２  水改質部
２ａ  通水口
２ｂ  フィルタ
２ｃ  フィルタ
２ｄ  トルマリン粒状塊
３  出水部
１０  本体部
１０ａ  弾性部材
１０ｂ  ユニット部
１０ｃ  通水口
１１  取付部
１１ａ  伸長部（長尺）
１１ｂ  吸着部材
１１ｃ  吸着部材
１１ｄ  摩擦接触部材
１１ｅ  伸長部（短尺）
１１ｆ  ボルト穴
１２  取付チェーン
１３  ホース
１４  配水栓
１５  切替部材
１５ａ  浴槽出水部
１５ｂ  シャワー接続部
１５ｃ  レバー
１６  ホース
１７  シャワー部材
１８  ボルト
１９  収容ケース
２０  接続部
２１  接続部
２２  取手部
【図１】
2006334468.tif 000003
【図２】
2006334468.tif 000004
【図３】
2006334468.tif 000005
【図４】
2006334468.tif 000006
【図５】
2006334468.tif 000007
【図６】
2006334468.tif 000008
【図７】
2006334468.tif 000009
【図８】
2006334468.tif 000010
【図９】
2006334468.tif 000011
【図１０】
2006334468.tif 000012